(57)【要約】      （修正有）【課題】かなりの重量物を収納でき、輸送中に外側から外力が加わっても凹むことのない段ボール製のパレット一体型コンテナを提供する。【解決手段】このパレット一体型コンテナ１００Ａは、天板の裏面にフォークリフトのフォークが挿入可能に桁部材を備えたパレット１０１Ａ上に、使用時に立設して箱状に組み立てる左右側壁５０と前後側壁４０が折り畳まれている。左右側壁５０は、下端側に備えた天板側へ直角に曲がる底貼着片５４を天板に糊着され、該天板の表面左右中央には、上方へ突出する起立片を両端部に備えるとともに、左右方向に折り畳まれる重ね板片を連設した渡し板２０Ａが前後方向に載置され、前後側壁４０は渡し板の起立片の内側で、折り畳まれた重ね板片の外側に立設される。【選択図】図１
0003207789.tif 000002
【実用新案登録請求の範囲】
【請求項１】
天板の裏面にフォークリフトのフォークが挿入可能に桁部材を備えたパレット上に、左右側壁と前後側壁とを使用時に立設して箱状に組み立てる段ボール製のパレット一体型コンテナにおいて、該左右側壁は、これに備えた天板側へ直角に曲がる底貼着片を該天板に糊着して折り畳まれ、該天板の表面左右中央には、上方へ突出する起立片を両端部に備えるとともに、左右方向に折り畳まれる重ね板片を連設した渡し板が前後方向に載置され、該前後側壁は該渡し板の起立片の内側で、折り畳まれた重ね板片の外側に立設されることを特徴とするパレット一体型コンテナ。
【請求項２】
前記前後側壁の両側端には内側へ直角に折り曲げて貼着した補強片が付設されたことを特徴とする請求項１記載のパレット一体型コンテナ。
【考案の詳細な説明】
【技術分野】
【０００１】
本考案はパレット一体型のコンテナに係り、特にパレットおよびコンテナとも段ボール製であるものに関する。
【背景技術】
【０００２】
パレット一体型のコンテナは、部品の保管や運搬にフォークリフトを使用できるようにしたもので、出願人は、先にコンテナを折りたたんで平らな状態で部品メーカに搬送し、部品メーカで立体的に組み立てて部品を収納するようにしたものを開発している（特許文献１）。
【０００３】
特許文献１のパレット一体型コンテナは、図７に示すように、天板１０の裏面に桁部材３０を固設したパレット１０１の上に、左右側壁５０と前後側壁４０を立設して囲ったものである。
この取り付け構造は図８に示すように、左右側壁５０はその下端を天板１０に貼着して立設し、前後側壁４０は、天板１０に渡し板２０を配設し、渡し板２０の起立片２２の内側に係合させて立設している。そして、左右側壁５０と前後側壁４０の側端同士を互いにテープで連結している。
【先行技術文献】
【特許文献】
【０００４】
【特許文献１】特開２０１１-５１６３８号公報
【考案の開示】
【考案が解決しようとする課題】
【０００５】
特許文献１のパレット一体型コンテナは、自動車のバンパーなど重量の大きな部品の収納に使用されており、輸送中の振動などで収納物が移動しても、渡し板の起立片が前後側壁に係合し外側へ膨らむことはほとんどない。しかしながら、外側から前後側壁が押されると、内側へ凹んでしまうという問題が指摘されている。
【０００６】
本考案は、かなりの重量物を収納でき、輸送中に外側から外力が加わっても凹むことのない段ボール製のパレットコンテナを提供することを目的としている。
【課題を解決するための手段】
【０００７】
上記の目的を達成するため、本考案のパレットコンテナは、次のように構成した。すなわち、天板の裏面にフォークリフトのフォークが挿入可能に桁部材を備えたパレット上に、左右側壁と前後側壁とを使用時に立設して箱状に組み立てる段ボール製のパレット一体型コンテナにおいて、該左右側壁は、これに備えた天板側へ直角に曲がる底貼着片を該天板に糊着して折り畳まれ、該天板の表面左右中央には、上方へ突出する起立片を両端部に備えるとともに、左右方向に折り畳まれる重ね板片を連設した渡し板が前後方向に載置され、該前後側壁は該渡し板の起立片の内側で、折り畳まれた重ね板片の外側に立設されることを特徴としている。
【０００８】
パレットの構成は特に限定しない。天板の裏面に桁部材を貼着しただけのものでもよいし、更に桁部材の下部に下板を貼着したものでもよい。なお、桁部材は、天板に載置される渡し板の下方には必ず設けるとよい。
コンテナは、収納する製品の大きさや重量によって、前後側壁および左右側壁の強度を配慮し、適宜補強するとよい。例えば、請求項２に記載のように、前後側壁の両側端に内側へ直角に折り曲げて貼着した補強片を付設し、四隅の部分を強くするのも有効である。  左右側壁は、下端に天板に貼着される貼着片を設け、起立させるだけで立設される。
前後側壁は、渡し板の起立片を立設しその内側に立て、重ね板片を折りたたみ、側端面を左右側壁にテープで貼着することにより組み立てられる。なお、重ね板片は例えば、中央部を切り取り上端側と下端側に配置するなど一枚板でなくてもよい。
【考案の効果】
【０００９】
本考案に係る段ボール製のパレット一体型コンテナによれば、渡し板を天板に設置することにより、前後側壁は、起立片と折り畳まれた重ね板片の端部との間に嵌合するので、外側方向のみならず、内側方向にも移動が規制され、搬送中の振動やものにあたっても凹むことがない。
しかも、このために追加される作業が簡単でほとんど時間がかからない。
また、請求項２に記載のように、前後側壁の両側端に内側へ直角に折り曲げて貼着した補強片を付設すれば、コンテナの四隅の部分が補強され、丈夫なコンテナとなる。
【図面の簡単な説明】
【００１０】
【図１】本考案の実施の形態であるパレット一体型コンテナの全体斜視図である。
【図２】同上、前後側壁の平面図である。
【図３】同上、左右側壁の平面図である。
【図４】同上、渡し板の平面図である。
【図５】同上、パレット１０１Ａの斜視図である。
【図６】同上、コンテナを組み立てる途中の状態を示す斜視図である。
【図７】従来のパレット一体型コンテナの全体斜視図である。
【図８】同上、渡し板の取り付け状態を示す斜視図である。
【考案を実施するための最良の形態】
【００１１】
本考案の実施の形態について、図１〜図６を参照しながら説明する。なお、正面図、側面図、断面図及び斜視図における上下を上下方向と称し、左右を左右方向と称する。
【００１２】
本考案のパレット一体型コンテナ１００Ａは、図７に示した従来のものとほぼ同じで、図１に示すように、前後側壁４０と左右側壁５０とからなり全体が直方体状であり、パレット１０１Ａの上にコンテナ１０２Ａが一体的に固着されている。そして、コンテナ１０２Ａ内の底部には渡し板２０Ａが設けられている。
パレット１０１Ａは図５に示すように、扁平な矩形状であり、桁部材３０が天板１０と底板１１によって挟持され、前後方向、左右方向ともフォークリフトのフォークが挿入できるように配置されている。なお、桁部材３０は、渡し板２０Ａが置かれる天板１０の左右方向中央部には必ず設けられている。
【００１３】
コンテナ１０２Ａは、パレット１０１Ａの上方に前後側壁４０、４０と左右側壁５０、５０によって直方体状に四方が囲われている。
前後側壁４０は、図２に示す前後側壁片４１を、左右側壁５０は、図３に示す左右側壁片５１を立設することにより作られる。
前後側壁片４１は、平板状で上部に断続する二重折り目Ｅが、両側端近傍に縦の折り目Ｄ，Ｄが設けられ、フラップ４３と補強片４４、４４が形成されている。
また、左右側壁片５１は、平板状で上部に断続折り目Ｂ、下部に断続折り目Ｃが水平に設けられ、両側端近傍に縦の折り目ＡＡが設けられ、フラップ５３と補強片５２，５２と、底貼着片５４が形成されている。また、フラップ５３には両側端付近に折り目Ｈが設けられ、補助片５６が形成されている。
【００１４】
渡し板２０Ａは、図４に示すように、渡し板片２６と折り目Ｇを介して連設された重ね板片２７からなる平板状のものである。渡し板片２６は、両端部に折り目Ｆと切れ目ｄにより、先端側がＴ字状に起立する起立片２６ａを備えている。なお、２６ｃ、２７ｃは抜き穴である。
【００１５】
パレット一体型コンテナ１００Ａは、以上の部品で構成され、前後側壁４０、左右側壁５０および渡し板２０Ａをパレット１０１Ａ上に重ねた扁平な状態で、これを使用する例えば部品メーカへ送られる。そして、部品メーカでは、パレット一体型コンテナ１００Ａを随時組み立て、部品が積み込まれる。
【００１６】
部品メーカへ送られるときの状態への作業は、パレット１０１Ａの天板１０の左右端に左右側壁５０の底貼着片５４を貼着し、補強片５２を折り目Ａから折りたたみ、さらに折り目Ｃから左右側壁片５１を天板１０上に左右とも折りたたむ。
次いで、前後側壁４０、４０の両側端側の補強片４４を折り目Ｄから内側へ折り曲げて前後側壁片４１へ貼着し、前記折り畳まれた左右側壁５０の上に重ねて載置する。渡し板２０Ａは適宜間に挟んで置けば良い。
部品メーカへは、この状態のものを多段積みにして輸送する。
【００１７】
部品メーカでは、前後側壁片４１と渡し板２０Ａを外し、天板１０の左右端部に糊着した左右側壁５０を底貼着片５４の折り目Ｄの部位から直立させ、同時に前後の補助片５２、５２を折り目Ｂ、Ｂから直角に拡げる。
次に、天板１０の左右中央部に渡し板２０Ａを置き、前後端の起立片２６ａ、２６ａを起立させ、垂下片２６ｂ、２６ｂが天板１０の端部外側に接するように配置する。
次いで、前後側壁片４１を天板１０の後端部に起立した起立片２６ａの内側に立設する。なお、この時、左右側壁片５１の補強片５２が内側になるようにする。これで、図６の状態となる。そして、重ね板片２７を折り目Ｇから渡し板片２６へ重ね、前後側壁４０と左右側壁５０の端部を接着テープＴで固着する。
【００１８】
収納する部品が大きな場合（例えば、自動車のバンパー）は、この状態、すなわち、前面の前後側壁４０が組み付けられていない状態で、部品を積み込むが、この際、収納する人は天板１０上に踏み込むことになるが、このときは、渡し板２０Ａの上を歩くようにする。
天板１０の中央の渡し板２０Ａの裏側は桁部材３０が設けられているので強度が強く底抜けするようなことがない。
【００１９】
部品を積み込んだら、手前の前後側壁４０を渡し板２０Ａの手前の起立片２６ａの内側で重ね板片２７の端部外側になるように位置させて立設し、前後側壁４０と左右側壁５０の端部を接着テープＴで固着する。
次いで、四方の側壁からフラップ４３、４３及びフラップ５３、５３を夫々内側へ直角に折り曲げる。これにより、コンテナ１０２Ａの開口部に平面部が確保されるので、パレット一体型コンテナ１００Ａをする際に、安定した段積みができる。
【符号の説明】
【００２０】
１００  パレット一体型コンテナ
１００Ａ  パレット一体型コンテナ
１０１  パレット
１０１Ａ  パレット
１０２ コンテナ
１０２Ａ  コンテナ
１０ 天板
１１ 底板
２０ 渡し板
２０Ａ  渡し板
２１ 水平板、２２ 起立片、２３ 垂下片
２６  渡し板片  ２６ａ  起立片  
２６ｂ  垂下片  ２６ｃ  孔
２７  重ね板片  ２７ｃ  孔
３０ 桁部材
４０ 前後側壁  ４１  前後側壁片
４３ フラップ  ４４  補強片
５０ 左右側壁  ５１  左右側壁片
５２ 補強片、５３ フラップ、５４ 底貼着片
５５ 突片、５６ 補助片
Ａ〜Ｇ 折り目
Ｔ 接着テープ
【図１】
0003207789.tif 000003
【図２】
0003207789.tif 000004
【図３】
0003207789.tif 000005
【図４】
0003207789.tif 000006
【図５】
0003207789.tif 000007
【図６】
0003207789.tif 000008
【図７】
0003207789.tif 000009
【図８】
0003207789.tif 000010